(57)【要約】【課題】装着補助者が着用者に対して装着するための吸収性物品において、着用者の体位の変更する回数を低減し、装着補助者及び着用者の負担を軽減する。【解決手段】吸収性物品１は、幅方向Ｗにおける前胴回り域Ｓ２の一方側Ｗ１の外側縁２２Ｅ１と、幅方向Ｗにおける後胴回り域Ｓ３の一方側Ｗ１の外側縁２３Ｅ１と、がサイド接合部２９によって接合されている。幅方向における後胴回り域Ｓ３の他方側Ｗ２の外側縁２３Ｅ２には、前胴回り域Ｓ２に止着可能な止着部材２７が設けられている。第１弾性部材６１は、吸収体の外側縁を跨って配置され、かつ幅方向Ｗの内側から幅方向の外側に向かって後方に延びる傾斜部６１Ｄを有する。傾斜部６１Ｄは、後胴回り域Ｓ３の少なくとも他方側Ｗ２に設けられ、前胴回り域に設けられていない。【選択図】図３
2018000512.tif 000002
【特許請求の範囲】
【請求項１】
互いに直交する前後方向及び幅方向と、
股下域と、
前記股下域よりも前後方向の外側に位置し、止着部材を有する第１胴回り域と、
前記股下域よりも前後方向の外側に位置し、前記止着部材が止着可能な第２胴回り域と、
前記股下域から前記第１胴回り域及び前記第２胴回り域の少なくとも一方に延びる吸収体と、
前記幅方向に伸縮する弾性部材と、を備えた吸収性物品であって、
前記幅方向における前記第１胴回り域の一方側の外側縁と、前記幅方向における前記第２胴回り域の一方側の外側縁と、は、サイド接合部によって接合されており、
前記幅方向における前記第１胴回り域の他方側の外側縁には、前記止着部材が設けられており、
前記弾性部材は、前記吸収体の外側縁を跨って配置され、かつ前記幅方向の内側から前記幅方向の外側に向かって前記前後方向の外側に延びる傾斜部を有し、
前記傾斜部は、前記第１胴回り域の少なくとも前記他方側に設けられ、前記第２胴回り域に設けられていない、吸収性物品。
【請求項２】
前記傾斜部は、前記第１胴回り域の前記他方側と前記第１胴回り域の前記一方側とにおいて前記吸収体の外側縁をそれぞれ跨いで配置されている、請求項１に記載の吸収性物品。
【請求項３】
前記第１胴回り域の前記弾性部材は、一対の前記傾斜部と、前記一対の傾斜部間を繋ぎ、前記幅方向に沿って伸縮する中央部と、を有し、
前記吸収性物品を伸長した伸長状態における前記傾斜部の伸長倍率は、前記伸長状態における前記中央部の伸長倍率よりも高い、請求項２に記載の吸収性物品。
【請求項４】
前記第２胴回り域には、前記止着部材が止着するターゲット部と、前記前後方向に伸縮しない前後非伸縮領域と、が設けられており、
前記前後非伸縮領域は、前記ターゲット部の全域に重なる、請求項１から請求項３のいずれかに記載の吸収性物品。
【請求項５】
前記第２胴回り域には、前記止着部材が止着されるターゲット部が設けられており、
前記吸収性物品の前記一方側に設けられた第１脚回り開口部と、前記止着部材を前記ターゲット部に止着した状態において前記吸収性物品の前記他方側に形成される第２脚回り開口部と、を有し、
前記吸収性物品を伸長した伸長状態において、前記第１脚回り開口部の長さは、前記第２脚回り開口部の長さよりも短い、請求項１から請求項４のいずれかに記載の吸収性物品。
【請求項６】
前記第１胴回り域には、前記吸収体よりも前記幅方向の外側において前記幅方向に沿って伸縮する第１弾性領域が設けられており、
前記第１弾性領域の前記一方側の外側縁と前記股下域の中心との前記幅方向における距離は、前記第１弾性領域の前記他方側の外側縁と前記股下域の中心との前記幅方向における距離よりも短い、請求項１から請求項５のいずれかに記載の吸収性物品。
【請求項７】
前記第１胴回り域には、前記吸収体よりも前記幅方向の外側において前記幅方向に伸縮する第１弾性領域が設けられ、
前記第２胴回り域には、前記吸収体よりも前記幅方向の外側において前記幅方向に伸縮する第２弾性領域が設けられ、
前記第１弾性領域の前記幅方向における伸縮率は、前記第２弾性領域の前記幅方向における伸縮率よりも低い、請求項１から請求項６のいずれかに記載の吸収性物品。
【請求項８】
前記第１弾性領域及び前記第２弾性領域は、前記吸収体と重なる吸収体配置領域と離間している、請求項７に記載の吸収性物品。
【発明の詳細な説明】
【技術分野】
【０００１】
本発明は、装着補助者が成人の着用者に対して装着するための吸収性物品に関する。
【背景技術】
【０００２】
従来、装着補助者が着用者に対して装着するための吸収性物品は公知である。例えば、特許文献１及び２は、吸収性物品としてのテープタイプの使い捨ておむつを開示している。テープタイプの使い捨ておむつは、着用者の股下に当てられる股下域と、着用者の腹側に当てられる前胴回り域と、着用者の背側に当てられる後胴回り域と、を有する。前胴回り域と後胴回り域のいずれか一方の幅方向の両外側には、前胴回り域と後胴回り域の他方に止着可能な止着部材が設けられている。
【０００３】
このようなテープタイプの使い捨ておむつを装着補助者が着用者に対して装着する際は、例えば、着用者の腰回りを持ち上げて、腰回りの下方に後胴回り域を敷いた後に、前胴回り域によって装着補助者の腹部を覆い、後胴回り域に設けられた止着部材を前胴回り域に止着する。
【０００４】
しかし、例えば、装着補助者としての介護者が成人の着用者に対して吸収性物品を装着する際は、介護者が着用者の腰回りを持ち上げて、腰回りの下方に後胴回り域を敷くことが難しい。そのため、例えば、図９によって示す方法によって、使い捨ておむつ１００を装着補助者が仰向けに寝た成人の着用者に対して装着することができる。装着補助者は、まず、着用者の体位を変更する。具体的には、仰向けで寝ている状態（図９（ａ））から横向きに寝た状態（図９（ｂ））に変更する。装着補助者は、着用者を横向きに寝かせた状態で、使い捨ておむつの幅方向の中心１００ＣＬと身体の中心とが合うように使い捨ておむつ１００を着用者の背側に敷く。このとき、装着補助者は、使い捨ておむつの幅方向の中心１００ＣＬに対して身体が下になっている側の第１領域１０１を寄せ集めて、身体の下側付近に寄せるとともに、第１領域１０１と反対側の第２領域１０２を広げた状態で敷いておく（図９（ｂ））。次いで、装着補助者は、第２領域１０２上に着用者の身体が乗るように着用者の体位を仰向けに変更する（図９（ｃ））。次いで、装着補助者は、着用者の体位を仰向けの状態から反対側の横向きの状態に変更し（図９（ｄ））、着用者の身体の下から第１領域１０１を幅方向の外側に引き出す（図９（ｅ））。次いで、装着補助者は、着用者の体位を再度仰向けに変更し、前胴回り域によって装着補助者の腹部を覆い、後胴回り域に設けられた止着部材１０７を前胴回り域に止着する（図９（ｆ））。
【０００５】
また、特許文献３は、吸収性物品としてのパンツタイプの使い捨ておむつを開示している。パンツタイプの使い捨ておむつは、着用者の股下に当てられる股下域と、着用者の腹側に当てられる前胴回り域と、着用者の背側に当てられる後胴回り域と、を有し、前胴回り域と後胴回り域とは、両外側縁において互いに接合されている。
【０００６】
このようなパンツタイプの使い捨ておむつを装着補助者が着用者に対して装着する際は、例えば、立った状態の着用者に対しては、着用者の両脚をおむつに通し、前胴回り域及び後胴回り域を着用者の腰回りまで引き上げる。また、寝た状態の着用者に対しては、着用者の両脚をおむつに通し、前胴回り域及び後胴回り域を寝た状態の着用者の腰回りの手前側（脚側）まで引き上げる。そして、装着補助者が着用者の両脚をもって着用者の臀部を持ち上げ、寝具に対して身体が浮いた状態を実現し、着用者の腰回りにおむつを引き上げる。
【先行技術文献】
【特許文献】
【０００７】
【特許文献１】特開２００５−２８７８７１号公報
【特許文献２】特開２００９−２９１２３６号公報
【特許文献３】特許５１３５３７９号公報
【発明の概要】
【発明が解決しようとする課題】
【０００８】
装着補助者がテープタイプの吸収性物品を仰向けに寝た着用者に装着するためには、仰向けから横向きへの体位の変更、横向きから仰向けへの体位の変更、仰向けから横向きへの体位の変更、及び横向きから仰向けへの体位の変更を行わなければならず、少なくとも４回の体位の変更が必要であった。着用者は、着用者によって可能な動作が異なり、特に成人の着用者においては、寝たきりの状態であって、自力で起き上がることができない者もいる。そのため、装着補助者は、着用者の体位を変える際に装着補助者の力を使って着用者を動かさなければならず、繰り返し体位を変更することによる体力的な負担があった。また、着用者は、繰り返し体位を変更することによって、体力が消耗したり、痛みや不快感が生じたりすることがあり、精神的な負担及び体力的な負担があった。
【０００９】
また、装着時補助者がパンツタイプの吸収性物品を寝た着用者に装着するためには、着用者の腰回りを持ち上げる必要があった。特に成人であって寝たきりの着用者においては、装着補助者の力を使って着用者の腰回りを持ち上げなければならず、体力的な負担があった。
【００１０】
本開示は、上述の課題に鑑みてなされたものであり、装着補助者が着用者に対して装着するための吸収性物品において、着用者の体位の変更する回数を低減し、装着補助者及び着用者の負担を軽減することを目的とする。
【課題を解決するための手段】
【００１１】
本開示に係る吸収性物品（吸収性物品１）は、互いに直交する前後方向（前後方向Ｌ）及び幅方向（幅方向Ｗ）と、前記股下域よりも前後方向の外側に位置し、止着部材を有する第１胴回り域（後胴回り域Ｓ３）と、前記股下域よりも前後方向の外側に位置し、前記止着部材が止着可能な第２胴回り域（前胴回り域Ｓ４）と、前記股下域から前記第１胴回り域及び前記第２胴回り域の少なくとも一方に延びる吸収体（吸収体１３）と、前記幅方向に伸縮する弾性部材（第１弾性部材６１、第２弾性部材６３）と、を備えた吸収性物品であって、前記幅方向における前記第１胴回り域の一方側（一方側Ｗ１）の外側縁と、前記幅方向における前記第２胴回り域の一方側の外側縁と、は、サイド接合部によって接合されており、前記幅方向における前記第１胴回り域の他方側の外側縁には、前記止着部材（止着部材２７）が設けられており、前記弾性部材は、前記吸収体の外側縁を跨って配置され、かつ前記幅方向の内側から前記幅方向の外側に向かって前記前後方向の外側に延びる傾斜部を有し、前記傾斜部は、前記第１胴回り域の少なくとも前記他方側に設けられ、前記第２胴回り域に設けられていないことを要旨とする。
【発明の効果】
【００１２】
本発明に係る吸収性物品によれば、装着補助者が着用者に対して装着するための吸収性物品において、着用者の体位の変更する回数を低減し、装着補助者及び着用者の負担を軽減することができる。
【図面の簡単な説明】
【００１３】
【図１】実施の形態に係る吸収性物品の斜視イメージ図である。
【図２】実施の形態に係る吸収性物品の斜視イメージ図である。
【図３】図１に示す吸収性物品の展開状態の平面図である。
【図４】図１に示す吸収性物品の展開状態の平面図である。
【図５】図１に示すＡ−Ａ線に沿った吸収性物品の断面図である。
【図６】実施の形態に係る吸収性物品の装着態様を説明するための図である。
【図７】実施の形態に係る吸収性物品の装着態様を説明するための図である。
【図８】実施の形態に係る吸収パッドの交換態様を説明するための図である。
【図９】従来に係る吸収性物品の装着態様を説明するための図である。
【発明を実施するための形態】
【００１４】
本明細書及び添付図面の記載により、少なくとも以下の事項が明らかとなる。
互いに直交する前後方向及び幅方向と、
股下域と、
前記股下域よりも前後方向の外側に位置し、止着部材を有する第１胴回り域と、
前記股下域よりも前後方向の外側に位置し、前記止着部材が止着可能な第２胴回り域と、
前記股下域から前記第１胴回り域及び前記第２胴回り域の少なくとも一方に延びる吸収体と、
前記幅方向に伸縮する弾性部材と、を備えた吸収性物品であって、
前記幅方向における前記第１胴回り域の一方側の外側縁と、前記幅方向における前記第２胴回り域の一方側の外側縁と、は、サイド接合部によって接合されており、
前記幅方向における前記第１胴回り域の他方側の外側縁には、前記止着部材が設けられており、
前記弾性部材は、前記吸収体の外側縁を跨って配置され、かつ前記幅方向の内側から前記幅方向の外側に向かって前記前後方向の外側に延びる傾斜部（傾斜部６１Ｄ）を有し、
前記傾斜部は、前記第１胴回り域の少なくとも前記他方側に設けられ、前記第２胴回り域に設けられていない、吸収性物品。
【００１５】
かかる吸収性物品によれば、吸収性物品の一方側に着用者の片脚を通した状態で、吸収体の他方側を着用者の身体を覆うように配置して、寝た状態の着用者に対して吸収性物品を装着できる。仰向けから横向きへの体位の変更と横向きから仰向けへの体位の変更との２回の着用者の体位の変更によって、装着補助者が仰向けに寝た状態の着用者に吸収性物品を装着することができる。よって、体位の変更回数を低減し、繰り返し体位を変更することによる装着補助者及び着用者の負担を軽減することができる。
【００１６】
また、吸収性物品の第１胴回り域の他方側には、吸収体の外側縁を跨ぐ傾斜部と、止着部材と、が設けられている。着用者が仰向け寝の状態で装着補助者が止着部材を吸収性物品の他方側の外側に引っ張ることにより、傾斜部も幅方向の外側に引っ張られる。傾斜部によって吸収体の幅を広げることができるとともに、傾斜部を鼠蹊部又は臀部の付け根に沿わせるように当てることができる。また、装着補助者が吸収性物品の他方側を幅方向の外側に引っ張ることにより、傾斜部によって吸収体の縁部を前後方向の外側に引き上げることができる。股下域の吸収体は、着用者の股下側に引き上げられ、身体に密着する。一方、傾斜部は、第２胴回り域に設けられていない。よって、第２胴回り域の吸収体の外側縁は、幅方向の内側かつ股下域側に向かうように収縮力が発生し難い。仮に第２胴回り域に傾斜部が配置されていると、第２胴回り域が斜め方向に伸縮するためと、止着部材を止着する際に、装着補助者が傾斜部を伸ばすように手を添える必要があり、装着補助者の肉体的な負荷が増加することがある。傾斜部は、第２胴回り域に設けられていないことにより、止着部材の止着時に装着補助者が幅方向に延ばす作業が不要となり、肉体的な負荷を最小限に抑えることができる。装着補助者が第２胴回り域を幅方向に引っ張る作業を行うことなく、第２胴回り域の吸収体全体を着用者の身体に沿わせた状態で、吸収性物品を装着できる。
【００１７】
かかる吸収性物品であって、
前記傾斜部は、前記第１胴回り域の前記他方側と前記第１胴回り域の前記一方側とにおいて前記吸収体の外側縁をそれぞれ跨いで配置されていることが望ましい。
【００１８】
かかる吸収性物品によれば、第１胴回り域の一方側の吸収体の外側縁及び他方側の吸収体の外側縁を跨ぐように第１弾性部材が配置されていることにより、吸収性物品の一方側と他方側の両方において吸収体を股下部側から第１胴回り部側に引き上げることができる。また、第１弾性部材によって吸収体の幅方向全域を伸ばし、吸収体の幅方向全域において皺やよれを低減し、平面状態を維持し易い。着用者の股下に対して、平面状態の吸収体を密着させることができる。また、一方側の吸収体も斜め方向に伸ばされることにより、両鼠蹊部又は両臀部の付け根に傾斜部を沿わせることができる。
【００１９】
かかる吸収性物品であって、
前記第１胴回り域の前記弾性部材は、一対の前記傾斜部と、前記一対の傾斜部間を繋ぎ、前記幅方向に沿って伸縮する中央部と、を有し、
前記吸収性物品を伸長した伸長状態における前記傾斜部の伸長倍率は、前記伸長状態における前記中央部の伸長倍率よりも高いことが望ましい。
【００２０】
かかる吸収性物品によれば、中央部の伸長倍率が比較的低いため、第１弾性部材の収縮によって吸収体の幅が短くなることを抑制できる。また、傾斜部の伸長倍率が比較的高いため、第１弾性部材の収縮による吸収体の引き上げ効果をより発揮できる。すなわち、中央部と傾斜部の伸長倍率を異ならせることにより、吸収体の幅が狭くなることを抑制しつつ吸収体の引き上げ効果を得ることができる。また、一方側の吸収体の外側縁及び他方側の吸収体の外側縁の両方を斜め方向に伸ばし、吸収体の幅を広げることができるとともに、両鼠蹊部又は両臀部の付け根に傾斜部を沿わせることができる。
【００２１】
また、傾斜部と中央部とが連続していることにより、左右の傾斜部が連動し、第１弾性部材によって吸収体の幅方向全域を引っ張ることができる。よって、装着補助者が、第１胴回り部の他方側を引っ張った際に、吸収体の他方側の外側縁のみならず吸収体の一方側の外側縁も引っ張りやすくなり、吸収体の幅方向全域の位置を調整し易くなる。第１胴回り域の吸収体の幅方向の全域を平らな状態とし易くなり、吸収体を身体に沿わせて配置し、吸収体よりも幅方向の外側の脚回り開口部周辺を着用者に脚回りに隙間なくフィットさせることができる。
【００２２】
かかる吸収性物品であって、
前記第２胴回り域には、前記止着部材が止着するターゲット部と、前記前後方向に伸縮しない前後非伸縮領域と、が設けられており、
前記前後非伸縮領域は、前記ターゲット部の全域に重なることが望ましい。
【００２３】
かかる吸収性物品によれば、ターゲット部は、前後非伸縮領域に重なっており、前後方向に収縮しない状態を維持できる。よって、止着部材がターゲット部に止着し易い。また、ターゲット部は、前胴回り域に配置された弾性部材によって幅方向に収縮した状態となることがある。止着部材がターゲット部に止着すると、ターゲット部と止着部材には、着用者の腰回りに沿う力がかかる。当該力によって、ターゲット部における幅方向の収縮による皺やよれが解消する。また、ターゲット部には、止着部材が止着した際に幅方向に沿った力のみかかり、前後方向に沿う力や幅方向に対して傾斜する力がかかり難い。よって、止着部材の止着時にターゲット部に意図しない皺やよれが発生することを抑制し、止着部材がフラットな状態のターゲット部に止着し、止着状態を維持し易くなる。また、ターゲット部と止着部材には、着用者の腰回りに沿う力が掛かり、前後方向に沿う力や幅方向に対して傾斜する力がかかり難いため、止着部材がターゲット部に止着した後に、第１胴回り域の弾性応力により、お互いが幅方向に沿った力であって逆方向に向かって引っ張られる。そのため、止着部材の先端がターゲット部に入り込みやすくなり、止着状態を維持しやすくなる。
【００２４】
かかる吸収性物品であって、
前記第２胴回り域には、前記止着部材が止着されるターゲット部が設けられており、
前記吸収性物品の前記一方側に設けられた第１脚回り開口部と、前記止着部材を前記ターゲット部に止着した状態において前記吸収性物品の前記他方側に形成される第２脚回り開口部と、を有し、
前記吸収性物品を伸長した伸長状態において、前記第１脚回り開口部の長さは、前記第２脚回り開口部の長さよりも短いことが望ましい。
【００２５】
吸収性物品の使用態様として、吸収性物品全体を使用後の交換する態様のみならず、吸収性物品の内側に吸収パッドを配置し、使用後に吸収パッドのみを交換することがある。このように吸収パッドのみを交換する際は、止着部材を取り外すことによって他方側に吸収パッドを出し入れするための開口が形成されるため、着用者の片脚を第１脚回り開口部に挿入した状態で吸収パッドの交換作業を行うことができる。
【００２６】
第１脚回り開口部の長さが第２脚回り開口部の長さよりも短いため、第１脚回り開口部が着用者の脚回りに密着し易い。吸収パッドの交換時に着用者が動いたり装着補助者が吸収性物品を移動したりした際に第１脚回り開口部が意図せずに移動することを抑制し、吸収性物品の装着作業や吸収パッドの交換作業を円滑に進めることができる。また、第２脚回り開口部を比較的広いため、吸収パッドを出し入れするための開口を広く形成することができ、吸収パッドの交換作業を円滑に進めることができる。
【００２７】
かかる吸収性物品であって、
前記第１胴回り域には、前記吸収体よりも前記幅方向の外側において前記幅方向に沿って伸縮する第１弾性領域が設けられており、
前記第１弾性領域の前記一方側の外側縁と前記股下域の中心との前記幅方向における距離は、前記第１弾性領域の前記他方側の外側縁と前記股下域の中心との前記幅方向における距離よりも短いことが望ましい。
【００２８】
装着時に、着用者の片脚を第１脚回り開口部に通し、かつ股下域を着用者の身体の中心の位置に合わせた状態で、第１胴回り域の他方側を引っ張ると、第１弾性領域が伸びる。このとき、第１後弾性領域の伸長に伴って股下域が他方側に動くことがある。かかる吸収性物品によれば、その動きを予め見越して、第１弾性領域の一方側の外側縁と股下域の中心との幅方向における距離を第１弾性領域の他方側の外側縁と股下域の中心との幅方向における距離より短くすることで、股下域が他方側に動き過ぎることを抑制し、股下域が着用者の身体の中心からずれてしまうことを抑制することができる。
【００２９】
かかる吸収性物品であって、
前記第１胴回り域には、前記吸収体よりも前記幅方向の外側において前記幅方向に伸縮する第１弾性領域が設けられ、
前記第２胴回り域には、前記吸収体よりも前記幅方向の外側において前記幅方向に伸縮する第２弾性領域が設けられ、
前記第１弾性領域の前記幅方向における伸縮率は、前記第２弾性領域の前記幅方向における伸縮率よりも低いことが望ましい。
【００３０】
かかる吸収性物品によれば、第１弾性領域の伸縮率が比較的低いため、吸収性物品の装着時に第１胴回り域が収縮し過ぎず、第１胴回り域の幅を確保できる。よって、吸収性物品の装着時に着用者の身体の下に、止着部材が設けられた第１胴回り域を配置し易い。また、第１弾性領域の伸縮率が比較的低く、自然状態において着用者の身体に第１胴回り域が密着しない場合であっても、止着部材をターゲット部に止着する際に装着補助者が第１胴回り域を他方側に引っ張ることにより、第１胴回り域を着用者の身体に密着させることができる。一方、第２胴回り域は、伸縮率が比較的高いため、着用者の身体に密着して配置され易い。
【００３１】
かかる吸収性物品であって、
前記第１弾性領域及び前記第２弾性領域は、前記吸収体と重なる吸収体配置領域と離間していることが望ましい。
【００３２】
かかる吸収性物品によれば、第１弾性領域及び第２弾性領域の収縮によって吸収体が収縮することを抑制し、吸収体の幅を確保した状態で着用者に装着することができる。
【００３３】
＝＝＝本実施の形態に係る吸収性物品について＝＝＝
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３４】
（１）吸収性物品の全体概略構成
実施の形態に係る吸収性物品は、高齢者を含む成人を着用対象としている。本実施の形態の吸収性物品は、第１胴回り域としての後胴回り域に止着部材が設けられ、第２胴回り域としての前胴回り域に止着部材が止着可能に構成されている。以下の実施形態においては、第１胴回り域が後胴回り域であり、第２胴回り域が前胴回り域であるとして説明する。なお、本発明に係る吸収性物品は、成人用の吸収性物品に限定されず、乳児用の吸収性物品であってもよいし、ペット用の吸収性物品であってもよい。また、本発明に係る吸収性物品は、第１胴回り域としての前胴回り域に止着部材が設けられ、第２胴回り域としての後胴回り域に止着部材が止着可能に構成されていてもよい。
【００３５】
吸収性物品１は、片開き型の使い捨ておむつである。片開き型の使い捨ておむつとは、着用前の状態において、吸収性物品１の一方側Ｗ１に第１脚回り開口部３２ａが形成され、他方側Ｗ２に第２脚回り開口部３２ｂが形成されてないおむつである。片開き型の使い捨ておむつは、後述する止着部材２７がターゲット部２８に止着した着用状態において、吸収性物品１の他方側Ｗ２に第２脚回り開口部３２ｂが設けられる（図２参照）。図１は、吸収性物品１の一方側Ｗ１に第１脚回り開口部３２ａが形成され、他方側Ｗ２に第２脚回り開口部３２ｂが形成されてない状態の斜視イメージ図であり、図２は、吸収性物品１の一方側Ｗ１に第１脚回り開口部３２ａが形成され、他方側Ｗ２に第２脚回り開口部３２ｂが形成された状態の斜視イメージ図である。図３及び４は、図１に示す吸収性物品の展開状態の平面図である。図３及び４に示す平面図は、吸収性物品１の一方側Ｗ１のサイド接合部２９の接合を分離し、かつ吸収性物品１を構成する外装体２０の皺が形成されなくなるまで弾性部材を伸長した伸長状態の平面図である。なお、本明細書における伸長状態とは、図３及び４に示す展開した吸収性物品の伸長状態である。図５は、図３に示すＡ−Ａ線に沿った断面図である。
【００３６】
吸収性物品１は、互いに直交する前後方向Ｌと幅方向Ｗを有し、かつ着用者の肌対向面側Ｔ１から非肌対向面側Ｔ２へ延びる厚み方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。また、本明細書においては、吸収体１３の幅方向の中心に対するサイド接合部２９側（図１及び図２に示す状態における右側、図３及び図４に示す左側）を一方側Ｗ１とし、吸収体の幅方向の中心に対する反対側（図１及び図２に示す状態における左側、図３及び図４に示す右側）を他方側Ｗ２とする。
【００３７】
吸収性物品１は、股下域Ｓ１、前胴回り域Ｓ２及び後胴回り域Ｓ３を有する。股下域Ｓ１は、着用者の股下域に対向して配置される。前胴回り域Ｓ２は、股下域Ｓ１に隣接し、かつ股下域Ｓ１よりも前後方向Ｌの前側に位置する。後胴回り域Ｓ３は、股下域Ｓ１に隣接し、股下域Ｓ１よりも前後方向Ｌの後側に位置する。前胴回り域Ｓ２は、後述する第２弾性部材６３が配置されている領域である。複数の第２弾性部材６３のうち最も股下域Ｓ１側に位置する前弾性部材の位置は、前胴回り域Ｓ２の後端縁となる。後胴回り域Ｓ３は、後述する第１弾性部材６１及び第３弾性部材６２が配置されている領域である。複数の第１弾性部材６１のうち最も股下域Ｓ１側に位置する第１弾性部材の位置は、後胴回り域の前端縁となる。股下域Ｓ１は、第１弾性部材６１、第３弾性部材６２及び第２弾性部材６３が配置されていない領域である。
【００３８】
吸収性物品１は、吸収性本体１０と、外装体２０と、を備える。吸収性本体１０は、股下域Ｓ１、前胴回り域Ｓ２、及び後胴回り域Ｓ３に配置されている。吸収性本体１０は、液透過性の本体トップシート１１と、液不透過性の本体バックシート１２と、本体トップシート１１と本体バックシート１２との間に配置される吸収体１３と、を少なくとも備える。吸収体１３は、吸収体１３の幅方向の中心を通り、かつ前後方向Ｌに延びる幅中心線１３ＷＬに対して線対称である。また、吸収性本体１０は、幅中心線１３ＷＬに対して線対称である。
【００３９】
本体トップシート１１と本体バックシート１２との間には、フィルムからなるサイドシート１４が配置されている。サイドシート１４の外側縁は、本体トップシート１１の肌対向面側に折り返されている。サイドシート１４の折り返された部分は、着用者側に起立可能な防漏部１５を構成する。防漏部１５には、前後方向に伸縮する防漏弾性部材１６が設けられている。防漏部１５の前後方向の外端縁は、本体トップシート１１に接合されている。防漏部１５の前後方向の中央は、本体トップシート１１に接合されてなく、防漏弾性部材１６の収縮によって着用者側に起立可能に構成されている。
【００４０】
外装体２０は、股下部２１、前胴回り部２２及び後胴回り部２３を有する。外装体２０は、少なくとも前胴回り部２２及び後胴回り部２３を有する。股下部２１は、股下域Ｓ１に配置されている。前胴回り部２２は、前胴回り域Ｓ２に配置されている。後胴回り部２３は、後胴回り域Ｓ３に配置されている。前胴回り部２２及び後胴回り部２３は、着用者の腰回りを覆うように構成されており、股下部２１よりも幅方向Ｗの外側に延出している。
【００４１】
幅方向Ｗにおける前胴回り部２２の一方側Ｗ１の外側縁２２Ｅ１と、幅方向Ｗにおける後胴回り部２３の一方側の外側縁２３Ｅ１と、を接合するサイド接合部２９が設けられている。図１に示すように、前胴回り部２２の一方側の外側縁２２Ｅ１と後胴回り部２３の一方側の外側縁２３Ｅ１とがサイド接合部２９にて接合された状態で、着用者の片脚が挿入される第１脚回り開口部３２ａが形成されている。第１脚回り開口部３２ａは、吸収性物品１の一方側Ｗ１に設けられている。また、着用前の状態において、前胴回り部２２の他方側Ｗ２の外側縁２２Ｅ２と後胴回り部２３の他方側の外側縁２３Ｅ２とは、接合されていない。
【００４２】
外装体２０は、吸収性本体１０よりも非肌対向面側Ｔ２に配置されている。外装体２０は、少なくとも前胴回り域Ｓ２及び後胴回り域Ｓ３に設けられる外装シートを有する。外装シートは、肌側シート２５と非肌側シート２６を有する。肌側シート２５は、外装シートのうち最も肌対向面側に配置されるシート材である。非肌側シート２６は、肌側シート２５の非肌対向面側Ｔ２に配置されており、外装シートのうち最も非肌対向面側に配置されるシート材である。肌側シート２５と非肌側シート２６の間には、幅方向に伸縮する複数の弾性部材が設けられている。弾性部材は、幅方向の伸縮性を付与する弾性部材である。弾性部材は、糸ゴムからなり、前後方向に間隔を空けて複数配置されている。弾性部材は、肌側シート２５と非肌側シート２６の少なくとも一方に接合されている。
【００４３】
弾性部材は、第１弾性部材６１と、第３弾性部材６２と、第２弾性部材６３と、を有する。第１弾性部材６１は、本発明における第１弾性部材であり、第１胴回り域としての後胴回り部２３に配置されている弾性部材のうち、股下部２１側に配置されている３本の弾性部材である。第１弾性部材６１は、幅方向Ｗの内側から幅方向Ｗの外側に向かって後方に延びる一対の傾斜部６１Ｄと、傾斜部６１Ｄ間を繋ぎ、かつ幅方向Ｗに沿って伸縮する中央部６１Ｃと、傾斜部６１Ｄから幅方向Ｗの外側に延び、かつ幅方向Ｗに沿って伸縮する側部６１Ｌと、を有する。中央部６１Ｃ、傾斜部６１Ｄ及び側部６１Ｌは、連続している。
【００４４】
中央部６１Ｃは、吸収体１３の幅中心線１３ＷＬを跨ぎ、幅方向Ｗと平行に配置されている。傾斜部６１Ｄは、吸収体１３の外側縁を跨って配置され、かつ幅方向の内側から幅方向の外側に向かって前後方向の外側に延びる。傾斜部６１Ｄは、少なくとも後胴回り部２３の他方側Ｗ２において吸収体１３の外側縁１３Ｅを跨いで配置されている。本実施の形態の傾斜部６１Ｄは、平面視にて、後胴回り部２３の一方側Ｗ１において吸収体１３の外側縁１３Ｅを跨ぎ、かつ後胴回り部２３の他方側Ｗ２において吸収体１３の外側縁１３Ｅを跨いで配置されている。側部６１Ｌは、傾斜部６１Ｄの外側縁と後胴回り部２３の外側縁の間において幅方向Ｗと平行に配置されている。傾斜部は、図１に示す展開状態において、後胴回り域の他方側において吸収体の外側縁を跨ぎ、かつ前胴回り域の吸収体の両外側縁を跨がないように配置されている。
【００４５】
伸長状態における傾斜部６１Ｄの伸長倍率は、伸長状態における中央部６１Ｃの伸長倍率よりも高い。伸長倍率は、自然状態の長さに対する外装シートに接合された状態の長さの比率であり、以下のように測定できる。吸収性物品のサイド接合部２９を切断し、吸収性物品１を展開状態とする。展開状態の吸収性物品１を、20℃±2℃、相対湿度60%±5%の雰囲気下に24時間放置する。次いで、吸収性物品１の皺が形成されなくなるまで吸収性物品１を伸長させ、傾斜部６１Ｄの長さ及び中央部６１Ｃの長さを測定し、外装シートに接合された状態の長さとする。次いで、外装シートから第１弾性部材６１を取り外し、20℃±2℃、相対湿度60%±5%の雰囲気下に24時間放置する。放置した状態における後傾斜部６１Ｄの長さ及び中央部６１Ｃの長さを測定し、自然状態の長さとする。測定した「外装シートに接合された状態の長さ」と「自然状態の長さ」とに基づいて、伸長倍率を算出する。
【００４６】
第３弾性部材６２は、第１弾性部材６１よりも前後方向Ｌの後側に位置する。第３弾性部材６２は、幅方向Ｗと平行に配置されており、幅方向Ｗに沿って伸縮する。第３弾性部材６２は、吸収体１３と重なる領域に配置されてなく、吸収体１３よりも幅方向Ｗの外側及び吸収体１３よりも前後方向Ｌの後側に配置されている。第２弾性部材６３は、本発明における第２弾性部材であり、第２胴回り域としての前胴回り部２２に配置されている。第２弾性部材６３は、幅方向Ｗと平行に配置されており、幅方向Ｗに沿って伸縮する。第２弾性部材６３は、吸収体１３と重なる領域に配置されてなく、吸収体１３よりも幅方向の外側及び吸収体１３よりも前後方向の前側に配置されている。
【００４７】
第１弾性部材６１の傾斜部６１Ｄは、幅方向Ｗ及び前後方向Ｌに伸長した状態で設けられている。よって、傾斜部６１Ｄが配置された領域は、幅方向Ｗ及び前後方向Ｌに伸縮する。また、第１弾性部材６１の中央部６１Ｃ、第１弾性部材６１の側部６１Ｌ、第３弾性部材６２及び第２弾性部材６３は、幅方向Ｗのみ伸長した状態で設けられている。よって、第１弾性部材６１の中央部６１Ｃ、第１弾性部材６１の側部６１Ｌ、第３弾性部材６２及び第２弾性部材６３が配置された領域は、幅方向Ｗに伸縮し、前後方向Ｌに伸縮せず、前後非伸縮領域を構成する。また、外装体２０において第１弾性部材６１、第３弾性部材６２及び第２弾性部材６３が配置されていない領域は、幅方向Ｗ及び前後方向Ｌに伸縮せず、後非伸縮領域を構成する。すなわち、前後非伸縮領域は、外装体２０において第１弾性部材６１の中央部６１Ｃ及び第１弾性部材６１の側部６１Ｌが配置されていない領域である。前後非伸縮領域は、前胴回り域Ｓ２及び後胴回り域Ｓ３において吸収体１３と重なる領域に少なくとも配置されている。なお、前後非伸縮領域は、外装体に設けられた弾性部材によって前後方向に収縮しない領域であり、吸収性本体１０に設けられた防漏弾性部材１６が配置された領域を含む概念である。
【００４８】
図４に示すように、後胴回り部２３には、吸収体１３よりも幅方向の外側において幅方向に伸縮する後弾性領域Ｒ６２が設けられている。また、前胴回り部２２には、吸収体１３よりも幅方向の外側において幅方向に伸縮する前弾性領域Ｒ６３が設けられている。後弾性領域Ｒ６２及び前弾性領域Ｒ６３は、幅方向Ｗに伸縮し、前後方向Ｌに伸縮しない。よって、着用者の腰回り（腹部及び臀部）を覆う面積を確保し易く、身体を適切に覆うことができ、装着補助者及び着用者に安心感を付与できる。また、装着時に前胴回り部及び後胴回り部が幅方向に引っ張られることにより、後弾性領域Ｒ６２及び前弾性領域Ｒ６３は、幅方向Ｗに伸長し、皺がなくなる。よって、後弾性領域Ｒ６２及び前弾性領域Ｒ６３の皺が形成されないように、装着動作以外で皺を伸ばす動作が不要となり、作業効率を向上できる。
【００４９】
後弾性領域Ｒ６２及び前弾性領域Ｒ６３は、吸収体１３と重なる吸収体配置領域と離間している。すなわち、後弾性領域Ｒ６２及び前弾性領域Ｒ６３は、厚み方向Ｔにおいて吸収体１３と重ならない。後弾性領域Ｒ６２及び前弾性領域Ｒ６３の収縮によって吸収体１３が収縮することを抑制し、吸収体１３の幅を確保した状態で着用者に装着することができる。
【００５０】
後弾性領域Ｒ６２の幅方向Ｗにおける伸縮率は、前弾性領域Ｒ６３の幅方向における伸縮率よりも低い。後弾性領域Ｒ６２の伸縮率が比較的低いため、吸収性物品１の装着時に後胴回り域Ｓ３が収縮し過ぎず、後胴回り域Ｓ３の幅を確保できる。よって、後胴回り域Ｓ３の幅を確保した状態で、装着時に後胴回り域Ｓ３を配置できる。装着時に着用者の体位を変更した際に、後胴回り域Ｓ３が身体と寝具の間に入り込んでしまうことを防ぐことができる。また、前胴回り域Ｓ２は、前弾性領域Ｒ６３の伸縮率が比較的高いため、装着された状態で前弾性領域Ｒ６３の収縮によって着用者の身体に密着する。一方、後胴回り域Ｓ３は、後弾性領域Ｒ６２の伸縮率が比較的低く、装着された状態で後弾性領域Ｒ６２の収縮によって着用者の身体に密着し難い。しかし、装着補助者は、装着時に止着部材２７をターゲット部２８に止着する際に、後胴回り域Ｓ３を幅方向に引っ張る。このとき、後弾性領域Ｒ６２が伸長するため、着用者の身体を覆い、かつ密着するように後胴回り域Ｓ３を配置することができる。
【００５１】
なお、伸縮率とは、前弾性領域及び後弾性領域の幅方向における伸縮の程度を意味し、以下のように規定できる。
前弾性領域の伸縮率＝（製品における前弾性領域の伸長状態の長さ）／（製品における前弾性領域の自然状態の長さ）
後弾性領域の伸縮率＝（製品における後弾性領域の伸長状態の長さ）／（製品における後弾性領域の自然状態の長さ）
【００５２】
また、伸縮率は、以下のように測定できる。吸収性物品の一方側に形成されたサイド接合部を切断し、吸収性物品を展開状態とする。展開状態の吸収性物品を、20℃±2℃、相対湿度60%±5%の雰囲気下に24時間放置する。放置した状態の吸収性物品を自然状態の吸収性物品として、自然状態における前弾性領域の幅方向の長さ及び自然状態における後弾性領域の幅方向の長さを測定する。次いで、吸収性物品の皺が形成されなくなるまで吸収性物品を伸長させ、伸長状態における前弾性領域の幅方向の長さ及び伸長状態における後弾性領域の幅方向の長さを測定する。測定した「自然状態の長さ」と「伸長状態の長さ」とに基づいて、伸縮率を算出する。
【００５３】
外装体２０は、幅中心線１３ＷＬに対して非対称である。具体的には、外装体２０の一方側Ｗ１の幅方向Ｗの長さは、外装体２０の他方側Ｗ２の幅方向Ｗの長さよりも短い。前胴回り部２２と後胴回り部２３のうち、少なくともいずれか一方が幅中心線１３ＷＬに対して非対称である。図４に示すように、後胴回り部２３の一方側Ｗ１の幅方向Ｗの長さＬ１１は、後胴回り部２３の他方側Ｗ２の幅方向Ｗの長さＬ１２よりも短い。後胴回り部２３の一方側Ｗ１の幅方向の長さＬ１１は、後胴回り部２３の一方側Ｗ１の外側縁２３Ｅ１と幅中心線１３ＷＬとの幅方向Ｗにおける距離である。後胴回り部２３の他方側Ｗ２の幅方向の長さＬ１２は、後胴回り部２３の他方側Ｗ２の外側縁２３Ｅ２と幅中心線１３ＷＬとの幅方向Ｗにおける距離である。また、後弾性領域Ｒ６２は、幅中心線１３ＷＬに対して非対称である。後弾性領域Ｒ６２の一方側Ｗ１の外側縁Ｒ６２Ｅ１と股下域Ｓ１の中心との距離Ｌ１３は、後弾性領域Ｒ６２の他方側Ｗ２の外側縁Ｒ６２Ｅ２と股下域Ｓ１の中心との距離Ｌ１４よりも短い。股下域Ｓ１の中心は、幅中心線１３ＷＬと一致する。また、後弾性領域Ｒ６２の一方側Ｗ１の外側縁Ｒ６２Ｅ１は、後胴回り部２３の一方側Ｗ１の外側縁２３Ｅ１と一致する。後弾性領域Ｒ６２の他方側Ｗ２の外側縁Ｒ６２Ｅ２は、後胴回り部２３の他方側Ｗ２の外側縁２３Ｅ２と一致する。
【００５４】
吸収性物品の伸長状態において、第１脚回り開口部３２ａの長さは、第２脚回り開口部３２ｂの長さよりも短い。伸長状態における第１脚回り開口部３２ａの長さは、図４に示す展開状態において、前胴回り部２２の一方側Ｗ１の外側縁２２Ｅ１における後端縁Ｐ１と、後胴回り部２３の一方側Ｗ１の外側縁２３Ｅ１における前端縁Ｐ４と、の長さである。より詳細には、第１脚回り開口部３２ａの長さは、前胴回り部２２の一方側Ｗ１の外側縁における後端縁Ｐ１から前胴回り部２２と吸収性本体１０の交差部Ｐ２までの外装体２０の外縁の長さと、前胴回り部２２と吸収性本体１０の交差部Ｐ２から後胴回り部２３と吸収性本体１０の交差部Ｐ３までの吸収性本体１０の外側縁の長さと、後胴回り部２３と吸収性本体１０の交差部Ｐ３から後胴回り部２３の一方側Ｗ１の外側縁における前端縁Ｐ４までの外装体２０の外縁の長さと、を合わせた長さである。また、第２脚回り開口部３２ｂの長さは、前胴回り部２２の他方側Ｗ２の外側縁２２Ｅ２における後端縁Ｐ５と、後胴回り部２３の他方側Ｗ２の外側縁２３Ｅ２における前端縁Ｐ８と、の長さである。より詳細には、第２脚回り開口部３２ｂの長さは、前胴回り部２２の他方側Ｗ２の外側縁における後端縁Ｐ５から前胴回り部２２と吸収性本体１０の交差部Ｐ６までの外装体２０の外縁の長さと、前胴回り部２２と吸収性本体１０の交差部Ｐ６から後胴回り部２３と吸収性本体１０の交差部Ｐ７までの吸収性本体１０の外側縁の長さと、後胴回り部２３と吸収性本体１０の交差部Ｐ７から後胴回り部２３の他方側Ｗ２の外側縁２３Ｅ２における前端縁Ｐ８までの外装体２０の外縁の長さと、を合わせた長さである。
【００５５】
外装体２０の後胴回り部２３には、外装シートよりも幅方向の外側に延出した止着部材２７が設けられている。止着部材２７は、前胴回り部２２のターゲット部２８に止着されるように構成される。止着部材２７は、平面視にて略矩形形状であり、基材シート２７ａと、ターゲット部２８と係合可能な係止部２７ｂと、を有する。係止部２７ｂとしては、複数の係止用突起（フック）を備えた面ファスナーを例示できる。ターゲット部２８は、外装体２０の前胴回り部２２の非肌対向面側Ｔ２に設けられている。ターゲット部２８は、平面視にて略矩形形状である。ターゲット部２８としては、フックと係合するループを備えた面ファスナーや不織布を例示できる。
【００５６】
ターゲット部２８の少なくとも一部は、厚み方向Ｔにおいて前後非伸縮領域に重なっている。本実施の形態の前後非伸縮領域は、ターゲット部２８の全体に重なっている。ターゲット部２８は、前後非伸縮領域に重なっており、前後方向に収縮しない状態を維持できる。よって、止着部材２７がターゲット部２８に止着し易い。
【００５７】
また、外装シートを構成する肌側シート２５及び非肌側シート２６は、吸収性物品１の前端縁及び後端縁において前後方向の内側に折り返された折り返し部２５ａ、２６ａを有する。折り返し部は、吸収性本体１０の肌対向面側に配置され、防漏部１５に接合されている。折り返し部２５ａ、２６ａと吸収性本体１０とが重なる領域のうち、幅方向における側部は、互いに接合されており、幅方向における中央部は、互いに接合されていない。よって、折り返し部２５ａ、２６ａと吸収性本体１０とが重なる領域の幅方向の中央部は、折り返し部２５ａ、２６ａと吸収性本体１０とが離間可能であり、後述する吸収パッドを挟持することができる。
【００５８】
（２）  吸収性物品の装着態様
次いで、このように構成された吸収性物品１を仰向けに寝た状態の着用者に対して装着補助者（装着者）が装着する際の装着態様の一例について説明する。図６及び図７は、装着態様を説明するための図であり、図６（ａ）〜（ｅ）は、着用者を上方から視認した状態を示しており、図６（ｆ）は、図６（ｂ）に示すＸ−Ｘ線に沿った断面図である。図７は、着用者を背面側から視認した状態の模式背面図である。
【００５９】
装着補助者は、仰向けに寝た状態の着用者の片脚を第１脚回り開口部３２ａに挿入する（図６（ａ））。このとき、第１脚回り開口部３２ａは、第２脚回り開口部３２ｂよりも狭くなるため、装着補助者が着用者の股間部付近まで使い捨ておむつを押し上げておくことにより、着用者の臀部により近い位置に使い捨ておむつを配置し続けることができ、より簡便に装着させることができる。
【００６０】
次いで、装着補助者は、第１脚回り開口部３２ａに挿入した側の脚が上になるように着用者を横向きにして、着用者の腰回りの位置まで吸収性物品１を引き上げる（図６（ｂ））。このとき、後胴回り部２３の一方側の吸収体１３の外側縁１３Ｅを跨ぐように第１弾性部材６１が配置されているため、着用者の腰回りの位置まで吸収性物品１を引き上げることにより、一方側Ｗ１における吸収体１３を股下域Ｓ１側から後胴回り域Ｓ３側に引き上げ、一方側における吸収体１３が着用者の股下に近づく。また、このとき、第１弾性部材６１の傾斜部６１Ｄの伸長倍率が第１弾性部材６１の中央部６１Ｃの伸長倍率よりも高いため、第１弾性部材６１の傾斜部６１Ｄによって吸収体１３の外側縁１３Ｅを後方に引き上げる効果を発揮し易い。また、第１弾性部材６１の中央部６１Ｃの伸長倍率が比較的低く、第１胴回り域の吸収体の幅方向の中央が縮み難いため、使い捨ておむつを臀部に沿わせ易い。また、第１胴回り域が幅方向に収縮し過ぎないため、止着部材側に位置する第２脚回り開口部３２ｂが幅方向の内側に入り込み過ぎず、次の動作の準備として止着部材２７が止着する領域となる第２胴回り域の他方側をできるだけ幅方向の外側に置くことができる。
【００６１】
また、図６（ｂ）に示す状態において、着用者の腰回りの下側（図６に示す例においては、腰回りの右側）は、寝具に接している。装着補助者は、後胴回り部２３の他方側Ｗ２の外側縁２３Ｅ２を、着用者の腰回りと寝具とが接する面の近傍に配置する（図６（ｆ））。より詳細には、後胴回り部２３の他方側Ｗ２の外側縁２３Ｅ２を、身体の臀部の膨らみよりも寝具側に配置する。このように吸収性物品１を配置することにより、吸収性物品１の前胴回り部２２は、着用者の腹側に添い、吸収性物品１の後胴回り部２３は、着用者の背側に添って配置される。
【００６２】
次いで、装着補助者は、着用者を仰向けにする（図６（ｃ））。着用者の体位が仰向けに変わると、横向きの状態で背側に添って配置された後胴回り部２３上に、着用者の臀部が配置される。後胴回り部２３の他方側Ｅ２の外側縁２３Ｅ２は、身体よりも幅方向Ｗの外側に延出する。このとき、後弾性領域Ｒ６２の伸縮率が比較的低いため、後胴回り部２３が収縮し過ぎず、後胴回り部２３の幅を確保できる。よって、後胴回り部２３は、着用者と寝具の間に配置され易い。なお、後胴回り部２３の他方側Ｗ２の外側縁２３Ｅ２が身体の下に入っている場合には、装着補助者は、身体と寝具の間から後胴回り部２３の他方側Ｗ２の外側縁２３Ｅ２を幅方向の外側に引き出す。
【００６３】
吸収体１３の幅中心線１３ＷＬは、このように着用者の体位が仰向けに変わった状態で、身体の中心よりも第１脚回り開口部３２ａに通した脚側に位置する（図７（ａ））。吸収性物品１は、脚が挿入された第１脚回り開口部側に引っ張られているためである。また、股下域Ｓ１は、着用者の股下に密着していない。第１脚回り開口部３２ａに片脚を通した状態で吸収性物品１を引き上げた際に、着用者が横向きになっており、吸収性物品１全体を着用者の腰回りまで引き上げられないためである。
【００６４】
次いで、装着補助者は、後胴回り部２３の他方側Ｗ２を幅方向の外側に引っ張る（図６（ｄ））。後胴回り部２３の他方側Ｗ２が幅方向Ｗの外側に引っ張られることにより、吸収体１３も他方側に引っ張られ、吸収体１３の幅中心線１３ＷＬが身体の中心に合うように吸収体１３が配置される。このとき、後胴回り部２３の他方側Ｗ２において吸収体１３の外側縁１３Ｅを跨ぐように第１弾性部材６１の傾斜部６１Ｄが配置されているため、吸収体１３は、他方側Ｗ２かつ後方に引き上げられる。第１弾性部材６１の傾斜部６１Ｄが設けられていることにより、股下に配置されている吸収体１３を後方に引っ張り上げることができ、股下に配置されている吸収体１３の皺や段差を減らし、股下に配置されている吸収体１３を身体に密着させることができる。また、このとき、第１弾性部材６１の傾斜部６１Ｄの伸長倍率が第１弾性部材６１の中央部６１Ｃの伸長倍率よりも高いため、第１弾性部材６１の傾斜部６１Ｄによって吸収体１３の外側縁１３Ｅを後方に引き上げる効果を発揮し易い。また、傾斜部６１Ｄが吸収体の一方側に外側縁と他方側の外側縁に設けられているため、傾斜部６１Ｄによって吸収体１３の幅を広げることができるとともに、傾斜部６１Ｄを左右の臀部の付け根に沿わせるように当てることができる。また、第１弾性部材６１の傾斜部６１Ｄと中央部６１Ｃとが連続していることにより、左右の傾斜部６１Ｄが連動し、第１弾性部材６１によって吸収体１３の幅方向全域を引っ張ることができる。よって、装着補助者が後胴回り部２３の他方側を引っ張った際に、吸収体１３の他方側の外側縁１３Ｅのみならず吸収体１３の一方側の外側縁１３Ｅも引っ張られ易くなり、吸収体１３の幅方向全域の位置を調整し易くなる。よって、吸収性物品の幅方向の中心が身体の幅方向の中心と略一致するとともに、吸収性物品の股下部２１が着用者の股下に密着する（図７（ｂ））。上述のように、第１脚回り開口部３２ａに挿入した側の脚が上になるように着用者を横向きにして、着用者の腰回りに吸収性物品を引き上げた際に、吸収体の一方側が後側に引き上げられている。よって、後胴回り部２３の他方側Ｗ２を幅方向Ｗの外側に引っ張って、吸収体１３の他方側Ｗ２を引き上げることより、吸収体１３の一方側Ｗ１と他方側Ｗ２とを着用者の股下に密着させることができる。また、後胴回り域の吸収体の幅方向の全域を平らな状態とし易くなり、吸収体を身体に沿わせて配置し、吸収体よりも幅方向の外側の脚回り開口部周辺を着用者に脚回りに隙間なくフィットさせることができる。
【００６５】
また、装着時に着用者の片脚を第１脚回り開口部３２ａに通し、かつ股下域Ｓ１を着用者の身体の中心の位置に合わせた状態で、後胴回り域Ｓ３の他方側を引っ張ると、後弾性領域Ｒ６２が伸びる。このとき、後弾性領域Ｒ６２の伸長に伴って股下域Ｓ１が他方側Ｗ２に動くことがある。かかる吸収性物品１によれば、その動きを予め見越して、後弾性領域Ｒ６２の一方側の外側縁Ｒ６２Ｅ１と股下域Ｓ１の中心との幅方向における距離Ｌ１３を後弾性領域Ｒ６２の他方側Ｗ２の外側縁Ｒ６２Ｅ２と股下域Ｓ１の中心との幅方向における距離Ｌ１４より短くすることで、股下域Ｓ１が他方側Ｗ２に動き過ぎることを抑制し、股下域Ｓ１が着用者の身体の中心からずれてしまうことを抑制することができる。
【００６６】
吸収性物品１が着用者の股下に密着した状態で、装着補助者は、吸収性物品１の前胴回り部２２によって着用者の腹部を覆い、後胴回り部２３の止着部材２７を前胴回り部２２のターゲット部２８に止着する（図６（ｅ））。２８は、前後非伸縮領域に重なっており、前後方向Ｌに収縮しない状態を維持できる。よって、止着部材２７がターゲット部２８に止着し易い。また、ターゲット部２８は、第２弾性部材６３によって幅方向Ｗに収縮した状態となることがある。止着部材２７がターゲット部２８に止着すると、ターゲット部２８と止着部材２７には、着用者の腰回りに沿う力がかかる。当該力によって、ターゲット部２８における幅方向Ｗの収縮による皺やよれが解消する。ターゲット部２８には、止着部材２７が止着した際に幅方向Ｗに沿った力のみかかり、前後方向Ｌに沿う力や幅方向Ｗに対して傾斜する力がかかり難い。よって、止着部材２７の止着時にターゲット部２８に意図しない皺やよれが発生することを抑制し、止着部材２７がフラットな状態のターゲット部２８に止着し、止着状態を維持し易くなる。また、吸収性物品１は、外装体２０の前胴回り部２２に前後方向Ｌに伸縮する弾性部材が設けられていなく、前胴回り部２２は、幅方向Ｗに沿ってのみ伸縮する。よって、装着時に前胴回り部２２の前後方向Ｌの長さが短くなることが抑制され、フラットな状態のターゲット部２８に止着部材２７を止めることができる。ターゲット部２８がフラットな状態を維持することにより、ターゲット部２８と止着部材２７の接触面積を確保し、接合強度の低下を抑制できる。ターゲット部２８と止着部材２７の接合強度を確保することにより、意図せずに止着部材２７がターゲット部２８から外れることを防止できる。また、ターゲット部と止着部材には、着用者の腰回りに沿う力が掛かり、前後方向に沿う力や幅方向に対して傾斜する力がかかり難いため、止着部材がターゲット部に止着した後に、第１胴回り域の弾性応力により、お互いが幅方向に沿った力であって逆方向に向かって引っ張られる。そのため、止着部材の先端がターゲット部に入り込みやすくなり、止着状態を維持しやすくなる。
【００６７】
装着補助者は、止着部材２７をターゲット部２８に止着する際に後胴回り域Ｓ３を他方側に引っ張る。そのため、後弾性領域Ｒ６２の伸縮率が比較的低く、自然状態において着用者の身体に後胴回り域Ｓ３が密着しない場合であっても、後胴回り域Ｓ３が着用者の身体に密着する。本実施の形態の使い捨ておむつは、一方側がサイド接合部によって接合され、かつ第１弾性部材及び第２弾性部材を有しているため、装着補助者が止着部材を幅方向に沿って引っ張ることにより、第１弾性部材が連動して他方側のみならず一方側をも引っ張ることができるとともに、後胴回り域のみならず前胴回り域も引っ張ることができる。このように弾性部材の連動性があることにより、着用者の脚回りと腰回りの両方に対して止着部材を引っ張る動作のみで使う捨ておむつを身体に沿わせることができる。
【００６８】
このような装着態様によれば、仰向けから横向きへの体位の変更と横向きから仰向けへの体位の変更との２回の体位の変更によって、装着補助者が吸収性物品を着用者に装着することができる。よって、装着時における着用者の体位の変更回数を低減し、繰り返し体位を変更することによる装着補助者及び着用者の負担を軽減することができる。また、このように装着された吸収性物品１は、後弾性領域Ｒ６２及び前弾性領域Ｒ６３が吸収体配置領域と離間し、吸収体１３の幅入りを抑制できる。よって、吸収性物品は、吸収体１３の幅を確保した状態で着用者に装着される。また、使い捨ておむつの前端縁及び後ろ端縁によって形成されるウエスト開口部から脚回り開口部までの領域の全体に弾性部材が配置されており、腰回りに沿う周状に弾性力が効いているため、着用者が動いたとしても、着用者の脚回りと腰回りの両方に対しても使い捨ておむつが追従することができ、装着時の違和感が小さくできる。
【００６９】
弾性部材の傾斜部は、後胴回り域Ｓ３における吸収体１３の両外側縁１３Ｅを跨ぐように配置され、前胴回り域Ｓ２における吸収体１３の両外側縁１３Ｅを跨がないように配置されている。よって、前胴回り域Ｓ２の吸収体１３の外側縁１３Ｅは、幅方向Ｗの内側かつ股下域Ｓ１側に向かうように収縮力が発生し難い。仮に前胴回り域Ｓ２の吸収体１３が幅方向Ｗの内側かつ股下域Ｓ１側に向かうように収縮すると、吸収体１３の外側縁１３Ｅが身体のそけい部に沿って配置されず、体液の漏れに繋がる。このような漏れを防止するために装着補助者が前胴回り域Ｓ２の吸収体１３を伸ばした状態で止着部材２７を止めることが考えられる。しかし、一般的に止着部材２７を止める際は、図６（ｅ）に示すように、着用者が仰向けに寝た状態である。そのため、前胴回り域Ｓ２の吸収体１３が伸びた状態を維持するためには、装着補助者が前胴回り域Ｓ２の吸収体１３を幅方向の外側に引っ張り、かつその状態を維持するように引っ張り続ける必要がある。しかし、前胴回り域Ｓ２における吸収体１３の両外側縁１３Ｅを跨がないように傾斜部が配置されていることにより、装着補助者が吸収体を伸ばし続けることなく、前胴回り域の吸収体の全域を着用者の身体に沿わせた状態で吸収性物品を装着できる。一方、後胴回り域Ｓ３は、装着時に吸収性物品１の他方側を引っ張ることにより、後胴回り域Ｓ３の吸収体１３が伸びた状態となる。このとき、一般的に着用者が仰向けに寝た状態であるため、吸収性物品１は、身体と寝具の間に挟まれ、後胴回り域Ｓ３の吸収体１３が伸びた状態を維持できる。よって、後胴回り域Ｓ３における吸収体１３の両外側縁１３Ｅを跨ぐように傾斜部が配置されている構成においても、装着補助者が吸収体１３を伸ばし続けることなく、後胴回り域Ｓ３の吸収体１３の全域を着用者の身体に沿わせた状態で吸収性物品１を装着できる。
【００７０】
また、従来のテープタイプの使い捨ておむつを用いて、テープタイプの使い捨ておむつの一方側の脚回り開口部を形成し、他方側の脚回り開口部を開いた状態で、本実施の形態のように着用者に対して装着補助者が装着することが考えられる。しかし、テープタイプの使い捨ておむつを、本実施の形態に示す片開き型の使い捨ておむつと同様に装着すると、次の問題が発生する。テープ型の使い捨ておむつの一方側に脚回り開口部を形成する際に、当該脚回り開口部の周囲において前胴回り部のターゲット上に後胴回り部の止着部材が止着する。よって、当該脚回り開口部の周囲に前胴回り部と後胴回り部が積層された領域が設けられる。当該脚回り開口部に片脚を通して着用者の腰回りに向かって吸収性物品を引き上げると、前胴回り部と後胴回り部が積層された部分がずれ、前胴回り部及び後胴回り部に皺やよれが発生したり、着用者に対して擦れてしまい違和感が発生したりする。また、前胴回り部と後胴回り部が積層された部分のずれを抑制するために、前胴回り部のターゲットに対する止着部材の止着位置をずらして、着用者の身体に対して吸収性物品を緩めに配置することができる。しかし、着用者の身体に対して吸収性物品を緩めに装着すると、吸収体と着用者の身体との位置がずれたり、サイド接合部の位置がずれたりして、位置ずれを直すために、繰り返し体位を変更する必要がある。繰り返し体位を変更することにより、止着部材を繰り返し止着し直す必要があり、簡便に吸収性物品を装着できず、装着補助者及び着用者の肉体的及び精神的な負荷が増える。さらに、使い捨ておむつを緩めに装着すると、弾性力が作用し難くなり、着用者の脚回り及び腰回りに対して使い捨ておむつが沿わないため、漏れを誘発してしまう。これに対して、本実施の形態に示す片開き型の使い捨ておむつは、一方側にサイド接合部が形成され、一方側において前胴回り部と後胴回り部が積層されないため、円滑に吸収性物品を引き上げることができ、少ない回数の体位の変更によって吸収性物品を交換することができる。
【００７１】
また、吸収性物品の使用態様として、吸収性物品全体を交換する態様のみならず、吸収性物品の内側に吸収パッドを配置し、使用後に吸収パッドのみを交換することができる。図８は、吸収性物品内に配置した吸収パッドの交換態様を説明するための図である。
【００７２】
装着補助者は、第２脚回り開口部３２ｂに挿入した側の脚が上になるように着用者を横向きにして、止着部材をターゲット部から外し、吸収性物品１の他方側を展開する（図８（ａ））。吸収性物品１の第２脚回り開口部３２ｂ側が開口するため、装着補助者は、当該開口を介して吸収パッドを取り出すことができる。次いで、装着補助者は、新しい吸収パッド８０を着用者の身体に当てた後に、吸収パッド８０を覆うように吸収性物品１を配置する。このとき、装着補助者は、身体の幅方向における中心と吸収体１３の幅中心線１３ＷＬとが合うように配置する（図８（ｂ））。装着補助者は、着用者の身体に沿って吸収パッド８０を配置した状態で、後胴回り部２３の他方側Ｗ２を幅方向Ｗの外側に引っ張り、後弾性領域Ｒ６２を伸長させる（図８（ｃ））。後胴回り域Ｓ３の少なくとも他方側Ｗ２は、後弾性領域Ｒ６２が伸長することにより、着用者の身体に密着する。次いで、装着補助者は、着用者を仰向けにする（図８（ｄ））。装着補助者は、前胴回り域Ｓ２に配置された吸収パッド８０の位置を調整した後に、前胴回り部２２の他方側Ｗ２を幅方向Ｗの外側に引っ張り、前弾性領域Ｒ６３を伸長させる（図８（ｅ））。前胴回り域Ｓ２の少なくとも他方側Ｗ２は、前弾性領域Ｒ６３が伸長することにより、着用者の身体に密着する。吸収性物品１が着用者の身体に密着した状態で、装着補助者は、後胴回り部２３の止着部材２７を前胴回り部２２のターゲット部２８に止着する（図８（ｅ））。
【００７３】
このような交換態様によれば、吸収パッド８０のみを交換する際は、止着部材２７を取り外すことによって他方側に吸収パッド８０を出し入れするための開口が形成されるため、着用者の片脚を第１脚回り開口部３２ａに挿入した状態で吸収パッド８０の交換作業を行うことができる。また、横向きへの体位の変更と横向きから仰向けへの体位の変更との２回の体位の変更によって、装着補助者が吸収パッドを交換することができる。よって、繰り返し体位を変更することによる装着補助者及び着用者の負担を軽減することができる。
【００７４】
また、第１脚回り開口部３２ａの長さが第２脚回り開口部３２ｂの長さよりも短いため、第１脚回り開口部３２ａが着用者の脚回りに密着し易い。交換時に着用者が動いたり吸収性物品１を動かしたりした際に吸収性物品１が意図せずに移動することを抑制し、吸収性物品１の装着作業や吸収パッド８０の交換作業を円滑に進めることができる。また、第２脚回り開口部３２ｂが比較的広いため、吸収パッド８０を出し入れするための開口を広く形成することができ、吸収パッド８０の交換作業を円滑に進めることができる。
【００７５】
（３）変形例
変形例において、第３弾性部材６２及び第２弾性部材６３は、吸収体と重なる領域に配置されていてもよい。変形例においては、吸収体と重なる領域に配置された第３弾性部材６２及び第２弾性部材６３の伸長率を、吸収性本体と重ならない領域に配置された第３弾性部材６２及び第２弾性部材６３よりも低くすることが好ましい。弾性部材の伸長率を低くする構成としては、弾性部材の切断や熱や超音波の付与を例示できる。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００７７】
１          ：吸収性物品
１３        ：吸収体
１３Ｅ      ：外側縁
１３ＷＬ    ：幅中心線
２０        ：外装体
２１        ：股下部
２２        ：前胴回り部
２２Ｅ１    ：一方側の外側縁
２３        ：後胴回り部
２３Ｅ１    ：一方側の外側縁
２３Ｅ２    ：他方側の外側縁
２７        ：止着部材
２８        ：ターゲット部
２９        ：サイド接合部
３２ａ      ：第１脚回り開口部
３２ｂ      ：第２脚回り開口部
６１        ：第１弾性部材
６１Ｃ      ：中央部
６１Ｄ      ：傾斜部
６２        ：第３弾性部材
６３        :第２弾性部材
Ｌ          ：前後方向
Ｒ６２      ：後弾性領域
Ｒ６３      ：前弾性領域
Ｓ１        ：股下域
Ｓ２        ：前胴回り域
Ｓ３        ：後胴回り域
Ｗ          ：幅方向
Ｗ１        ：一方側
Ｗ２        ：他方側
【図１】
2018000512.tif 000003
【図２】
2018000512.tif 000004
【図３】
2018000512.tif 000005
【図４】
2018000512.tif 000006
【図５】
2018000512.tif 000007
【図６】
2018000512.tif 000008
【図７】
2018000512.tif 000009
【図８】
2018000512.tif 000010
【図９】
2018000512.tif 000011